(57)【要約】【課題】複数の顧客に連続して引渡す場合にも、引渡間違いを防止することができる引渡システムを提供する。【解決手段】顧客から受け付けたオーダに係る画像プリントを顧客に引渡すために、収容部は画像プリントをオーダ毎に収容する。オーダ特定情報取得部は、画像プリントの引渡要求としてオーダ特定情報を取得する。送出部は、取得されたオーダ特定情報に対応する画像プリントを収容部から引渡口に送出する。この際、オーダ特定情報取得部は、送出部が画像プリントを送出してから所定時間が経過するまで、オーダ特定情報の取得を中止する。【選択図】図１３
2010117428.tif 000002
【特許請求の範囲】
【請求項１】
顧客から受け付けたオーダに係る画像プリントを当該顧客に引渡す引渡システムであって、
前記画像プリントをオーダ毎に収容する収容部と、
前記オーダを特定可能な情報であるオーダ特定情報を取得するオーダ特定情報取得部と、
取得された前記オーダ特定情報に対応する前記画像プリントを前記収容部から引渡口に送出する送出部と、を備え、
前記オーダ特定情報取得部は、前記送出部が前記画像プリントを送出してから所定時間が経過するまで、前記オーダ特定情報の取得を中止することを特徴とする引渡システム。
【請求項２】
顧客から受け付けたオーダに係る画像プリントを当該顧客に引渡す引渡システムであって、
前記画像プリントをオーダ毎に収容する収容部と、
前記オーダを特定可能な情報であるオーダ特定情報を取得するオーダ特定情報取得部と、
取得された前記オーダ特定情報を記憶するオーダ特定情報記憶部と、
前記オーダ特定情報記憶部から一の前記オーダ特定情報を順次取得し、当該オーダ特定情報に対応する前記画像プリントを前記収容部から送出する送出部と、を備え、
前記オーダ特定情報記憶部に前記一のオーダ特定情報以外のオーダ特定情報が記憶されている際に、前記送出部は、前記画像プリントを送出してから所定時間が経過するまで、前記オーダ特定情報記憶部から次の前記オーダ特定情報の取得を中止することを特徴とする引渡システム。
【請求項３】
前記引渡口には、前記画像プリントの引渡完了を検知する引渡検知部が備えられ、
前記所定時間は、前記引渡検知部により引渡完了が検知されるまでの時間であることを特徴とする請求項１または２記載の引渡システム。
【請求項４】
前記引渡検知部は、前記顧客の手を検知する手検知手段を備え、
前記引渡検知部は、前記手検知手段により手が検知された後、当該手が検知されなくなった際に、引渡完了を検知することを特徴とする請求項３記載の引渡システム。
【請求項５】
前記引渡検知部は、前記引渡口に前記画像プリントがあることを検知する画像プリント検知手段を備え、
前記引渡検知部は、前記送出部により画像プリントが送出された後、当画像プリントが検知されなくなった際に、引渡完了を検知することを特徴とする請求項３記載の引渡システム。
【請求項６】
前記引渡口が複数備えられ、
一の前記オーダ特定情報に対応する前記画像プリントが複数の前記引渡口から送出される際に、
前記所定時間は、前記画像プリントが送出された全ての前記引渡口の前記引渡検知部が引渡完了を検知するまでの時間であることを特徴とする請求項３から５のいずれか一項に記載の引渡システム。
【発明の詳細な説明】
【技術分野】
【０００１】
本発明は、顧客から受け付けたオーダに係る画像プリントを引渡す引渡システムに関する。
【背景技術】
【０００２】
近年の写真処理機器の進歩に伴い、写真処理機器が小型化、低下価格化している。そのため、写真プリント店では、自身の店舗にミニラボと称せられる写真処理機器を設置し、ミニラボで顧客からのオーダを処理することにより、顧客に写真プリントを引渡すまでの時間を短縮することにより顧客の利便性を向上させると共に、独自性の高いプリント画像作り等により他店舗との差別化を図っている。
【０００３】
また、写真プリントのオーダを入力可能な受付装置を店舗に設置し、顧客自らが写真プリントのための画像データや写真プリントの枚数等のオーダ情報を入力可能にする店舗も増大している。このような受付装置を用いることで、店舗の省力化が図られている。
【０００４】
さらに、写真プリントを顧客に引渡す際の省略化や顧客の利便性の向上のために引渡機の設置も進んでいる。例えば、特許文献１のプリントシステムでは、注文を受付ける注文受付装置と、注文に係る写真プリントを行うプリント装置と、写真プリントの受渡しを行う受渡装置とを備え、受付装置は、注文確定時に受渡しに関する情報を表示している。
【０００５】
特許文献１の技術では、注文確定時に写真プリントの受渡し方法や受渡装置の設置場所等に関する情報が顧客に提示される。これにより、顧客は、店員の手を介すことなく写真プリントを受け取ることができる。
【０００６】
【特許文献１】特開平２００７−２４９８２７（段落番号０００６−０００８、図６）
【発明の開示】
【発明が解決しようとする課題】
【０００７】
特許文献１の受渡装置では、清算は受付時に完了しているため、顧客は受渡しに必要な情報を入力するだけで、写真プリントを受け取ることができる。そのため、複数の顧客が写真プリントを受け取りに来ている場合には、受渡しに必要な情報が連続して入力され、受渡し装置から複数の顧客の写真プリントが連続して排出されるため、受渡しの間違いが生じる可能性がある。特に、受渡しに必要な情報を入力する機器と写真プリントが排出される機器とが一体でない場合や、写真プリントが排出される機器が複数設置されている場合には、上述の問題が生じる可能性が高くなる。
【０００８】
本発明の課題は、上記実状に鑑み、複数の顧客に連続して引渡す場合にも、引渡間違いを防止することができる引渡システムを提供することである。
【課題を解決するための手段】
【０００９】
前記課題を解決するために、本発明の引渡システムは、顧客から受け付けたオーダに係る画像プリントを当該顧客に引渡す引渡システムであって、前記画像プリントをオーダ毎に収容する収容部と、前記オーダを特定可能な情報であるオーダ特定情報を取得するオーダ特定情報取得部と、取得された前記オーダ特定情報に対応する前記画像プリントを前記収容部から引渡口に送出する送出部と、を備え、前記オーダ特定情報取得部は、前記送出部が前記画像プリントを送出してから所定時間が経過するまで、前記オーダ特定情報の取得を中止する。
【００１０】
この構成では、顧客が画像プリントを受け取るために、受け取るべき画像プリントのオーダを特定可能な情報（以下、オーダ特定情報と称する）を入力すると、送出部によりオーダ特定情報に対応する画像プリントが引渡口に送出される。このとき、オーダ特定情報取得部は、送出部により画像プリントが送出されてから所定時間が経過するまでは、次のオーダ特定情報を取得することを中止している。これにより、異なる顧客が短い時間間隔で連続してオーダ特定情報を入力することが制限されるため、短い時間間隔で連続して画像プリントが送出されることがなく、画像プリントの引渡間違いを防止することができる。
【００１１】
また、本発明の引渡システムは、顧客から受け付けたオーダに係る画像プリントを当該顧客に引渡す引渡システムであって、前記画像プリントをオーダ毎に収容する収容部と、前記オーダを特定可能な情報であるオーダ特定情報を取得するオーダ特定情報取得部と、取得された前記オーダ特定情報を記憶するオーダ特定情報記憶部と、前記オーダ特定情報記憶部から一の前記オーダ特定情報を順次取得し、当該オーダ特定情報に対応する前記画像プリントを前記収容部から送出する送出部と、を備え、前記オーダ特定情報記憶部に前記一のオーダ特定情報以外のオーダ特定情報が記憶されている際に、前記送出部は、前記画像プリントを送出してから所定時間が経過するまで、前記オーダ特定情報記憶部から次の前記オーダ特定情報の取得を中止する。
【００１２】
この構成では、オーダ特定情報取得部により取得されたオーダ特定情報は、オーダ特定情報記憶部に一時記憶されるため、顧客は連続してオーダ特定情報を入力し、画像プリントの引渡しを要求することができる。一方、送出部は、オーダ特定情報記憶部から一のオーダ特定情報を順次取得し、そのオーダ特定情報に対応する画像プリントを送出する。このとき、オーダ特定情報記憶部に取得したオーダ特定情報以外のオーダ特定情報が記憶されていたとしても、送出部は、画像プリントを送出してから所定時間が経過するまでは、次のオーダ特定情報の取得を中止することで、他の顧客の画像プリントの送出を中止している。これにより、短い時間間隔で連続して画像プリントが送出されることを防止し、画像プリントの引渡間違いを防止することができる。なお、オーダ特定情報の入力順序と、画像プリントの送出順序を同じにすると、より的確に引渡間違いを防止することができ、好適である。
【００１３】
より的確に引渡間違いを防止するためには、先の画像プリントが受け取られた後に、後の画像プリントの送出を行うことが望ましい。そのため、本発明の引渡システムの好適な実施形態の一つでは、前記引渡口には、前記画像プリントの引渡完了を検知する引渡検知部が備えられ、前記所定時間は、前記引渡検知部により引渡完了が検知されるまでの時間である。
【００１４】
この構成では、引渡口に備えられた引渡検知部により、送出部により送出された画像プリントが引渡口から取り出されたこと、すなわち引渡完了が検知されるまでの時間が所定時間として設定されている。
【００１５】
画像プリントが取り出されたことの検知は、引渡口に手が差し込まれているか否かを判定することにより実現することができる。そのため、本発明の引渡システムの好適な実施形態の一つでは、前記引渡検知部は、前記顧客の手を検知する手検知手段を備え、前記引渡検知部は、前記手検知手段により手が検知された後、当該手が検知されなくなった際に、引渡完了を検知する。この構成では、引渡口に対する手の挙動を検知することで、画像プリントの取り出しを検知することができる。
【００１６】
また、引渡口に画像プリントがあるか否かを判定することでも、画像プリントが取り出されたことを検知することができる。そのため、本発明の引渡システムの好適な実施形態の一つでは、前記引渡検知部は、前記引渡口に前記画像プリントがあることを検知する画像プリント検知手段を備え、前記引渡検知部は、前記送出部により画像プリントが送出された後、当画像プリントが検知されなくなった際に、引渡完了を検知する。この構成では、画像プリント検知手段が、引渡口に画像プリントがあるか否かを検知するため、的確に画像プリントの取り出しの完了を検知することができる。
【００１７】
また、複数の引渡口が備えられている引渡システムにおいて、一のオーダ特定情報に対応する画像プリントが複数の引渡口から送出される場合には、引渡口から画像プリントが取り出されるタイミングがずれるため、画像プリントの引渡間違いが生じる可能性が高くなる。
【００１８】
そのため、本発明の引渡システムの好適な実施形態の一つでは、前記引渡口が複数備えられ、一の前記オーダ特定情報に対応する前記画像プリントが複数の前記引渡口から送出される際に、前記所定時間は、前記画像プリントが送出された全ての前記引渡口の前記引渡検知部が引渡完了を検知するまでの時間である。
【００１９】
この構成では、一のオーダ特定情報に対応する画像プリントが複数の引渡口に送出された際に、画像プリントが送出された全ての引渡口で引渡完了するまでの時間が所定時間とされるため、的確に引渡間違いを防止することができる。
【発明を実施するための最良の形態】
【００２０】
以下に、本発明による引渡システムの実施形態を図面に基づき説明する。
〔システム構成〕
図１は、本実施形態における引渡システムを受付プリントシステムに接続したシステム（以下、これらをまとめて受付引渡システムと称する）の構成を表した図である。
【００２１】
引渡システムは、顧客から画像プリントの引渡要求を受け付ける引渡受付端末Ｆと、顧客に対して画像プリントを引渡す第１引渡装置Ｅ１、第２引渡装置Ｅ２および第３引渡装置Ｅ３（特に区別する必要のない場合には、引渡装置Ｅと総称する）とから構成されている。
【００２２】
一方、受付プリントシステムは、顧客からオーダを受付ける受付装置Ａ、受付装置Ａからの情報に基づき銀塩式の印画紙でなる画像形成媒体Ｐに画像を形成し画像プリントを行う銀塩プリンタＢ、画像データを記録紙でなる画像形成媒体ＰにプリントするインクジェットプリンタＣおよびプリントされた画像形成媒体Ｐを処理袋Ｑに封入するエンベロッパＤから構成されている。
【００２３】
受付端末Ａ、銀塩プリンタＢ、インクジェットプリンタＣ、引渡装置Ｅは、互いに通信ネットワークＬで接続されている。本実施形態では、通信ネットワークＬは、有線ＬＡＮを用いるが、無線ＬＡＮや他の通信技術を用いても構わない。また、本実施形態では、第１引渡装置Ｅ１および第２引渡装置Ｅ２には、インクジェットプリンタＣおよびエンベロッパＤが接続されており、エンベロッパＤは、後述するように、処理袋Ｑに封入したインクジェットプリンタＣによりプリントされた画像形成媒体Ｐを対応する引渡装置Ｅの収容ユニット４６（本発明における収容部の例）に自動装填する機能を有する。
【００２４】
一方、第３引渡装置Ｅ３にはインクジェットプリンタＣおよびエンベロッパＤは接続されておらず、銀塩プリンタＢによりプリントされた画像形成媒体Ｐは、人為的操作により、処理袋Ｑへの封入、収容ユニット４６への装填がなされる構成となっている。
【００２５】
〔受付装置〕
図２に示すように、受付装置Ａは、上部の受付端末ＡＵおよび下部の料金受領端末ＡＤから構成されている。受付端末ＡＵは、フラッシュメモリ等の半導体メモリからなる各種の半導体記録媒体から画像データを取得するための半導体ドライブ２、ＣＤ−Ｒ等のディスク型記録媒体から画像データを取得するディスクドライブ３、受付証Ｒ（図５参照）をプリントし排出する受付証プリンタ４、カメラ付き携帯電話等の機器に接続し画像データを取得するコネクタ５、および各種の表示を行うと共に顧客からの入力を可能にするタッチパネル６を表示面に形成したディスプレイ７を備えている。また、本体１の内部には、マイクロプロセッサを中核部材とし、各種制御を行う受付制御ユニット８（図６参照）を備えている。
【００２６】
さらに、図６に示すように、受付制御ユニット８は、顧客からのオーダ受付処理を行う受付部８Ａ、受付けたオーダを特定可能な情報を生成するオーダ特定情報生成部８Ｂと、オーダに係る画像プリントが封入された処理袋Ｑを引渡す引渡装置Ｅを特定可能な情報（以下、引渡装置特定情報と称する）を生成する引渡装置特定情報生成部８Ｃと、オーダ特定情報、引渡装置特定情報をはじめとする引渡時に必要となる情報をプリントした受付証Ｒを作成する受付証作成部８Ｄとが備えられている。本実施形態では、受付部８Ａ、オーダ特定情報生成部８Ｂ、引渡装置特定情報生成部８Ｃ、および受付証作成部８Ｄは、ソフトウェアにより構成されるが、ハードウェアにより構成してもよいし、ソフトウェアとハードウェアとが協働する構成としても構わない。
【００２７】
なお、本実施形態では、オーダ特定情報はオーダ毎に排他的に割り当てられた数字を用い、引渡装置特定情報は、各引渡装置Ｅに排他的に割り振られた数字を用いるが、他の情報を用いても構わない。
【００２８】
一方、料金受領端末ＡＤは、縦長姿勢のケース１０の上部位置に備えられ、硬貨を受領する硬貨投入孔１１Ａを備えた硬貨受領器１１、紙幣を受領する紙幣挿入孔１２Ａを備えた紙幣受領器１２、およびケース１０の下部位置に備えられ、釣銭を排出する釣銭排出口１３Ａを供えた釣銭排出器１３を備えている。
【００２９】
〔銀塩プリンタ〕
図１に示すように、銀塩プリンタＢは、暗箱構造のハウジング２０を備え、ハウジング２０の端部のコンソール２１の上面にフィルムから画像データを取得するフィルムスキャナ２２、各種情報を表示するディスプレイ２３、ディスクドライブ２４、キーボード２５、マイクロプロセッサを中核部材とし、画像プリントに必要な各種処理を行う主制御ユニット２６（図６参照）等を備えている。
【００３０】
また、ハウジング２０の内部には、印画紙でなる画像形成媒体Ｐに露光を行う露光部（図示せず）、露光後の画像形成媒体Ｐの現像処理を行う現像部（図示せず）、および現像処理後の画像形成媒体Ｐの乾燥を行う乾燥部（図示せず）を備えている。一方、ハウジング２０の外部には、乾燥後の画像形成媒体Ｐを搬送する搬送ベルト２７、および搬送ベルト２７により搬送される画像形成媒体Ｐをオーダ単位で仕分けるソータ２８が備えられている。
【００３１】
〔インクジェットプリンタ〕
図３に示すように、インクジェットプリンタＣは、ロール状に巻き取られた記録紙でなる画像形成媒体Ｐを搬送するように複数の圧着ローラ３１が配置された搬送経路が形成され、搬送経路に沿って搬送される画像形成媒体Ｐに対して搬送方向（副走査方向）に直交する方向（主走査方向）に往復作動しながらインクを吐出するプリンタヘッド３２、プリンタヘッド３２により画像が形成された画像形成媒体Ｐをプリントサイズに切断するカッター３３、およびマイクロプロセッサを中核部材とし、これらの動作を制御するプリント制御ユニット３４（図６参照）を備えている。
【００３２】
〔エンベロッパ〕
図３に示すように、エンベロッパＤは、インクジェットプリンタＣによりプリントされた画像形成媒体Ｐを積み重ねて一時的に貯留し、貯留した画像形成媒体Ｐをオーダ単位で処理袋Ｑに封入する封入部３６、封入部３６により画像形成媒体Ｐが封入された処理袋Ｑを載置して挿入高さまで持ち上げ、水平向に移動させることにより挿入位置にセットするシフト機構３７、挿入位置においてシフト機構３７に載置されている処理袋Ｑを引渡装置Ｅに挿入するプッシャー３８、およびマイクロプロセッサを中核部材とし、これらの動作を制御する封入制御ユニット３９（図６参照）を備えている。
【００３３】
エンベロッパＤでは、封入制御ユニット３９が、インクジェットプリンタＣから連続的に送られる画像形成媒体Ｐをオーダ単位で所定サイズの処理袋Ｑに挿入し、処理袋Ｑの挿入口を閉じることにより画像形成媒体Ｐの封入を行い、引渡装置Ｅの収容空間Ｓに挿入する制御を行う。
【００３４】
なお、本実施形態では、エンベロッパＤは、処理袋Ｑに画像形成媒体Ｐを封入する構成としているが、処理袋Ｑに代えて箱状の容器に封入することや、処理袋を用いずに画像形成媒体Ｐに樹脂シートを巻きつけることによりパッケージ化する構成とすることもできる。
【００３５】
〔引渡受付装置〕
引渡受付装置Ｆは、図１に示すように、表示画面上に顧客等からの入力を可能にするタッチパネル５１、各種情報を表示するディスプレイ５２、受付証Ｒからオーダ特定情報を読取るバーコードリーダ５３、スピーカ５４、およびマイクロプロセッサを中核部材とし、これらの動作を制御する引渡受付制御ユニット５５（図８参照）が備えられている。バーコードリーダ５３により読取られたオーダ特定情報は、引渡装置Ｅに送信され、そのオーダ特定情報に対応する画像プリントが封入された処理袋Ｑが送出され、顧客に引渡される。なお、タッチパネル５１は、ディスプレイ５２の表面上に設置されている。
〔引渡装置〕
図１に示すように、引渡装置Ｅは、表示画面上に顧客等からの入力を可能にするタッチパネル４２、顧客への各種情報を表示するディスプレイ４３および顧客へのメッセージや警告音を発するスピーカ４５が備えられている。また、図３から図４に示すように筐体４１の下部には、処理袋Ｑに封入された画像形成媒体Ｐを顧客に引渡すための引渡口４４が形成され、筐体４１の背面にはエンベロッパＤから送られる処理袋Ｑを受け入れる導入口４１Ｈが形成されている。なお、タッチパネル４２は、ディスプレイ４３の表面上に設置されている。
【００３６】
筐体４１の内部には、昇降作動する２つの収容ユニット４６、および収容ユニット４６を昇降させる電動型の昇降モータ４６Ｍが備えられている。筐体４１の後部には、収容ユニット４６の収容空間Ｓに収容された処理袋Ｑを送出する送出プレート４７、および送出プレート４７（本発明における送出部の例）を出退駆動する電動型の出退モータ４７Ｍが備えられ、筐体４１の内部には、マイクロプロセッサにより構成され、これらの動作を制御する引渡制御ユニット４８が備えられている。
【００３７】
収容ユニット４６は、複数の支持プレート４６Ａを備えることにより、収容ユニット４６の内部を区画し、複数の収容空間Ｓが形成されたラックとして構成される。また、２つの収容ユニット４６は、左右に並列配置され、一方には２列の支持プレート４６Ａが備えられ、他方には１列の支持プレート４６Ａが備えられている。
【００３８】
収容ユニット４６は、昇降モータ４６Ｍからの駆動力がチェーンを介して伝達されることにより、ガイドレール（図示せず）に沿って昇降移動する。また、昇降時には、２つの収容ユニット４６が互いに逆方向に昇降移動するように構成されており、これにより重量バランスを均衡させている。
【００３９】
また、収容ユニット４６の昇降位置をセンサ（図示せず）により取得し、引渡制御ユニット４８が、各収容空間Ｓと送出プレート４７との位置関係および各収容空間Ｓと導入口４１Ｈとの位置関係を把握できる構成となっている。さらに、引渡制御ユニット４８は、収容空間Ｓと収容されている処理袋Ｑとオーダ特定情報との関係も管理している。
【００４０】
このような構成とすることにより、エンベロッパＤから画像形成媒体Ｐが封入された処理袋Ｑを受け入れる場合には、処理袋Ｑが収容されていない収容空間Ｓを導入口４１Ｈの位置に昇降移動させることができ、送出すべき処理袋Ｑが収容された収容空間Ｓが送出プレート４７の位置に昇降移動させることができる。
【００４１】
〔受付、印刷処理〕
次に、本実施形態における、受付および印刷処理の流れを図７のフローチャートを用いて説明する。
【００４２】
顧客が画像プリントしたい画像データが記録された半導体記録媒体、ディスク型記録媒体もしくは携帯電話を受付端末ＡＵの半導体ドライブ２、ディスクドライブ３に挿入もしくはコネクタ５に接続すると、受付部８Ａは、これに記録されている画像データを取得し、ディスプレイ７に取得した画像データのサムネイル画像を表示する。このとき、受付部８Ａは、画像データがＥＸＩＦ（EXchangeable Image File）フォーマット等のサムネイル画像が含まれているフォーマットの場合には、そのサムネイル画像を使用し、ＲＡＷフォーマット等のサムネイル画像が含まれていないフォーマットの場合には、画像データからサムネイル画像を生成する。
【００４３】
顧客は、表示されたサムネイル画像を見ながら、タッチパネル６を介してプリントする画像を選択し、プリント枚数等のオーダ情報を入力する。入力されたオーダ情報は、受付部８Ａにより取得される（＃０１）。
【００４４】
受付制御ユニット８は、画像プリントのサイズや使用する画像形成媒体Ｐの種類毎の画像プリントの単価やアルバムプリント等に必要な基本料金（以下、料金テーブルと称する）を保持しており、オーダ情報を取得すると、料金テーブルに基づき、取得したオーダ情報のプリント処理に必要な料金を計算し、その料金をディスプレイ７に表示する。表示された料金に対して、顧客が料金受領端末ＡＤから料金の支払い処理を行うと（＃０２）、オーダ特定情報生成部８Ｂは受付けたオーダのオーダ特定情報を生成する（＃０３）。また、引渡装置特定情報生成部８Ｃは、オーダ情報のプリントサイズや画像形成媒体Ｐの種類等に基づき、このオーダの画像がプリントされた画像形成媒体Ｐを収容する引渡装置Ｅの引渡装置特定情報を生成する（＃０４）。なお、以降の処理では、オーダ特定情報および引渡装置特定情報は、オーダ情報に含められる。
【００４５】
受付証作成部８Ｄは、オーダ特定情報、受付装置特定情報、仕上がり予定日時、オーダの内容、領収額等が記載された受付証画像を作成し、受付証プリンタ４に対し受付証画像から受付証Ｒ（図５参照）を作成し、排出させる（＃０５）。
【００４６】
次に、受付制御ユニット８は、引渡装置特定情報により特定される引渡装置ＥがインクジェットプリンタＣを備えているか否かを判定し、引渡装置ＥがインクジェットプリンタＣを備えている場合には（＃０６のYes分岐、本実施形態では第１引渡装置Ｅ１または第２引渡装置Ｅ２）、受付制御ユニット８から特定された引渡装置Ｅに備えられているインクジェットプリンタＣのプリント制御ユニット３４に対して、画像データおよびオーダ情報が送られる（＃０７）。
【００４７】
画像データおよびオーダ情報を取得したインクジェットプリンタＣでは、プリント制御ユニット３４が、オーダ情報に基づきインクジェットプリンタＣの各部を制御し、画像データをプリントに用いるプリントデータに変換し、記録紙からなる画像形成媒体Ｐ上に画像を形成することにより画像プリントを行う（＃０８）。
【００４８】
プリントされた画像形成媒体Ｐは、逐次エンベロッパＤに送られる。なお、プリント制御ユニット３４は封入制御ユニット３９に対し、一のオーダに係る画像プリントの開始に先立ち、オーダ識別情報と画像プリントを開始する旨を、そのオーダの画像プリントが完了した際には、完了した旨およびオーダ情報を通知する。
【００４９】
プリント制御ユニット３４からオーダ情報を取得したエンベロッパＤの封入制御ユニット３９は、画像プリントの開始の通知を取得してから、完了の通知を取得するまでに送られてきた画像形成媒体Ｐを処理袋Ｑに封入する（＃０９）。封入制御ユニット３９は、封入が終了すると、その旨、およびオーダ情報を引渡装置Ｅの引渡制御ユニット４８に通知する。
【００５０】
封入処理が完了した旨の通知を取得した引渡制御ユニット４８では、処理袋Ｑが装填されていない収容空間Ｓを特定し（＃１０）、オーダ特定情報と特定した収容空間Ｓ、オーダ枚数、引渡枚数とを関連付けて記憶する（＃１１）。
【００５１】
さらに、引渡制御ユニット４８は、特定した収容空間Ｓが導入口４１Ｈの位置となるよう昇降モータ４６Ｍを制御する。昇降動作が完了すると、その旨および収容空間Ｓの位置情報が引渡制御ユニット４８から封入制御ユニット３９に通知され、封入制御ユニット３９は、位置情報に基づきシフト機構３７を対応する導入口４１Ｈまで移動し、プッシャー３８を作動させ、処理袋Ｑを収容空間Ｓに装填する（＃１２）。
【００５２】
一方、引渡装置特定情報により特定される引渡装置ＥがインクジェットプリンタＣを備えていない場合には（＃０６のNo分岐、本実施形態では第３引渡装置Ｅ３）、受付制御ユニット８から主制御ユニット２６に対して、画像データおよびオーダ情報が送られる（＃１３）。
【００５３】
画像データおよびオーダ情報を取得した主制御ユニット２６は、オーダ情報に基づき銀塩プリンタＢの各部を制御し、画像データを印画紙からなる画像形成媒体Ｐ上に画像を形成することにより画像プリントを行う（＃１４）。銀塩プリンタＢにおいても、インクジェットプリンタＣにおけるプリント処理と同様に、画像データからプリントデータに変換された後に、画像形成媒体Ｐに画像がプリントされる。
【００５４】
銀塩プリンタＢにより画像プリントが完了すると、人為的操作により、処理袋Ｑに封入され（＃１５）、第３引渡装置Ｅ３の収容空間Ｓに装填される（＃１６）。このとき、操作者は、タッチパネル４２を操作し、装填する処理袋Ｑのオーダ特定情報を入力する。また、引渡制御ユニット４８は、処理袋Ｑが装填された収容空間Ｓとオーダ特定情報とを関連付けて記憶する（＃１７）。
【００５５】
〔第１実施形態〕
以下に、図を用いて、本実施形態における引渡システムの第１実施形態を説明する。上述したように、本実施形態における引渡システムは、引渡受付端末Ｆおよび引渡装置Ｅから構成されている。図８に示すように、引渡受付装置Ｆは、マイクロプロセッサを中核部材とし、各種制御を行う引渡受付制御ユニット５５を備えている。また、引渡受付制御ユニット５５は、顧客による引渡しの受付操作の可否を管理する引渡受付管理部５５Ａおよびバーコードリーダ５３により読取られたオーダ特定情報を取得するオーダ特定情報取得部５５Ｂを備えている。本実施形態では、引渡受付管理部５５Ａおよびオーダ特定情報取得部５５Ｂは、ソフトウェアにより構成されるが、ハードウェアにより構成してもよいし、ソフトウェアとハードウェアとが協働する構成としても構わない。
【００５６】
また、引渡装置Ｅの引渡制御ユニット４８には、引渡口４４に送出された処理袋Ｑが顧客に引渡されたことを検知する引渡検知部４８Ａが備えられている。本実施形態では、引渡検知部４８Ａは、ソフトウェアにより構成されるが、ハードウェアにより構成してもよいし、ソフトウェアとハードウェアとが協働する構成としても構わない。なお、本実施形態では、処理袋Ｑが顧客に引渡されたことの検知は以下の方法を用いるが、これに限定されるものではなく、他の方法を用いて構わない。
【００５７】
〔引渡しの検知方法１〕
処理袋Ｑが顧客に引渡されたことを検知する第１の方法では、図９に示すように引渡装置Ｅの引渡口４４に、顧客の手を検知する手検知センサ６１（本発明の手検知手段の例）が備えられている。本実施形態では、手検知センサ６１は、赤外線発光部６３Ａと赤外線受光部６３Ｂとから構成されており、赤外線受光部６３Ｂからの信号が引渡検知部４８Ａに送られている。なお、手検知センサ６１は、これに限定されるものではなく、他のセンサを用いても構わない。また、手検知センサ６１の配置位置は送出された処理袋Ｑの影響が少ない位置、例えば、図９に示すような引渡口４４の側面等が望ましい。
【００５８】
図１０は、第１の方法による引渡しの検知の処理のフローチャートである。まず、後述の引渡処理により、処理袋Ｑが引渡口４４に送出される（＃２１）と、赤外線発光部６３Ａから発光された赤外線が、赤外線受光部６３Ｂで受光されているか否かを引渡検知部４８Ａが判定することにより、手のセンシングを行う（＃２２）。このとき、顧客が引渡口４４に手を差し込むと、赤外線発光部６３Ａから発光された赤外線が手により遮られるため、赤外線受光部６３Ｂは赤外線を受光できなくなると、引渡検知部４８Ａは手が差し込まれたと判断する（＃２３）。手のセンシングはそのまま継続され（＃２４）、顧客が処理袋Ｑを手にして、引渡口４４から手を出すと、赤外線発光部６３Ａから発光された赤外線が赤外線受光部６３Ｂにより受光される。このとき、引渡検知部４８Ａは、手が引き出されたと判断し（＃２５）、引渡しが完了したことを検知する（＃２６）。
〔引渡しの検知方法２〕
処理袋Ｑが顧客に引渡されたことを検知する第２の方法では、図１１に示すように引渡装置Ｅの引渡口４４に、送出された処理袋Ｑを検知する画像プリント検知センサ６２（本発明の画像プリント検知手段の例）が備えられている。本実施形態では、画像プリント検知センサ６２は、赤外線発光部６３Ａと赤外線受光部６３Ｂとから構成されており、赤外線受光部６３Ｂからの信号が引渡検知部４８Ａに送られている。なお、画像プリント検知センサ６２は、これに限定されるものではなく、他のセンサを用いても構わない。また、画像プリント検知センサ６２の配置位置は送出された処理袋Ｑが的確に検知できる位置、例えば、図１１に示すような引渡口４４の底面および天井面等が望ましい。
【００５９】
図１２は、第２の方法による引渡しの検知の処理のフローチャートである。まず、後述の引渡処理により、処理袋Ｑが引渡口４４に送出される（＃３１）と、赤外線発光部６３Ａから発光された赤外線が、赤外線受光部６３Ｂで受光されているか否かを引渡検知部４８Ａが判定することにより、処理袋Ｑのセンシングを行う（＃３２）。このとき、赤外線発光部６３Ａから発光された赤外線が処理袋により遮られるため、赤外線受光部６３Ｂは赤外線を受光できなくなっている。顧客が引渡口４４から処理袋Ｑを取り出すと、赤外線発光部６３Ａから発光された赤外線が赤外線受光部６３Ｂにより受光される。このとき、引渡検知部４８Ａは、処理袋Ｑが取り出されたと判断し（＃３３）、引渡しが完了したことを検知する（＃３４）。
〔引渡処理〕
以下に、本実施形態における引渡処理の流れを図１３のフローチャートを用いて説明する。
【００６０】
顧客が、受付証Ｒに記載されているバーコードを引渡受付装置Ｆのバーコードリーダ５３にかざすと、バーコードリーダ５３により取得されたデータがオーダ特定情報としてオーダ特定情報取得部５５Ｂにより取得される（＃４１）。これにより、バーコードが表すオーダ特定情報のオーダに係る画像プリントの引渡要求が受け付けられる。
【００６１】
取得されたオーダ特定情報は、オーダ特定情報取得部５５Ｂから引渡制御ユニット４８に送られ、引渡制御ユニット４８は取得したオーダ特定情報と関連付けられている収容空間Ｓを特定する（＃４２）。さらに、引渡制御ユニット４８は、昇降モータ４６Ｍを制御することにより、特定した収容空間Ｓを送出プレート４７の位置に移動させ（＃４３）、出退モータ４７Ｍを制御し、送出プレート４７を駆動させることにより、収容空間Ｓに収容されている処理袋Ｑを送出する（＃４４）。
【００６２】
処理袋Ｑが送出されると、その旨が引渡制御ユニット４８から引渡受付管理部５５Ａに通知される。このとき、引渡受付管理部５５Ａは、オーダ特定情報取得部５５Ｂに対し、次のオーダ特定情報の取得を中止させる（＃４５）。なお、このとき、ディスプレイ５２に、引渡の受付処理を停止している旨のメッセージを表示させると好適である。
【００６３】
顧客が、引渡口４４の処理袋を取り出すと、前述の方法により引渡検知部４８Ａが引渡完了を検知し（＃４６のYes分岐）、その旨を引渡受付管理部５５Ａに通知する。引渡完了通知を受理した（＃４７）引渡検知部４８Ａは、オーダ特定情報の取得を再開する（＃４８）。このとき、ディスプレイ５２に、オーダ特定情報の入力（引渡受付）が可能な旨のメッセージを表示させると好適である。
【００６４】
〔第２実施形態〕
図１４に本実施形態における引渡システムの機能ブロック図である。本実施形態では、引渡受付装置Ｆは、オーダ特定情報取得部５５Ｂにより取得されたオーダ特定情報を一時記憶するオーダ特定情報記憶部５５Ｃおよびオーダ特定情報記憶部５５Ｃに記憶されているオーダ特定情報を管理するオーダ特定情報管理部５５Ｄを備えている点、また、引渡装置Ｅはオーダ特定情報管理部５５Ｄを介してオーダ特定情報を取得する点において第１実施形態と異なっている。なお、同様の機能部には同じ符号を付しており、詳細な説明は省略する。
【００６５】
本実施形態では、オーダ特定情報管理部５５Ｄは、ソフトウェアにより構成されるが、ハードウェアにより構成してもよいし、ソフトウェアとハードウェアとが協働する構成としても構わない。また、オーダ特定情報記憶部５５Ｃは、半導体メモリ等により構成されている。なお、オーダ特定情報を取得した順序と、送出される画像プリントに対応するオーダ特定情報との順序は同一とすると引渡間違いが低減するため望ましい。したがって、本実施形態では、オーダ特定情報管理部５５Ｄは、オーダ特定情報記憶部５５ＣをＦＩＦＯ（First In First Out）型のデータ構造として、オーダ特定情報を管理する。
【００６６】
次に、図１５のフローチャートに基づき本実施形態の処理の流れを説明する。まず、顧客がバーコードリーダ５３に受付証Ｒのバーコードをかざすことにより、オーダ特定情報取得部５５Ｂによりオーダ特定情報が取得される（＃５１）。取得されたオーダ特定情報は、オーダ特定情報管理部５５Ｄを介してオーダ特定情報記憶部５５Ｃに記憶される（＃５２）。
【００６７】
本実施形態では、オーダ特定情報の取得及び記憶は、画像プリントの引渡動作とは関係なく行われるため、引渡装置Ｅの処理とは独立して、＃５１および＃５２の処理が繰り返される。
【００６８】
オーダ特定情報管理部５５Ｄは、引渡装置Ｅが画像プリント送出可能状態であれば（＃５３のYes分岐）、オーダ特定情報記憶部５５Ｃから、一のオーダ特定情報を取得して引渡制御ユニット４８に送信し、そのオーダ特定情報をオーダ特定情報記憶部５５Ｃから削除すると共に、引渡装置Ｅが画像プリント送出可能であるか否かを表すフラグ（以下
、フラグと称する）を偽にセットする（＃５４）。
【００６９】
なお、本実施形態において引渡装置Ｅが画像プリント送出可能状態にあるとは、システム起動以降に画像プリントが送出されていない状態または、送出された画像プリントの引渡しが完了している状態である。また、オーダ特定情報管理部５５Ｄは、引渡装置Ｅが画像プリント送出可能状態であるか否かを管理している。具体的には、システム起動時に、引渡装置Ｅの画像プリント送出可能状態を表すフラグを真にセットし、引渡装置Ｅにオーダ特定情報を送信した際に、フラグを偽にセットする。また、引渡検知部４８Ａにより引渡完了通知を受理した際に、フラグを真にセットする。
【００７０】
一方、引渡装置Ｅが画像プリント送出可能状態ではない、すなわちフラグが偽の時には（＃５３のＮｏ分岐）、フラグが真になるまで待機する。
【００７１】
オーダ特定情報を取得した引渡装置Ｅでは、第１実施形態の＃４２から＃４４の処理と同様に、オーダ特定情報に対応する画像プリントが封入された処理袋Ｑが収容されている収容空間Ｓが特定され、その収容空間Ｓに収容されている処理袋Ｑが送出される（＃５５〜＃５７）。
【００７２】
その後、引渡検知部４８Ａにより、引渡完了が検知されると（＃５８のYes分岐）、その旨がオーダ特定情報管理部５５Ｄに通知される。引渡完了通知を受理した（＃５９）オーダ特定情報管理部５５Ｄは、フラグを真にセットする（＃６０）。その後、上述の処理が繰り返される。
【００７３】
このように、本実形態では、顧客からのオーダ特定情報の取得、すなわち引渡しの受付は逐次行われるが、先に受け付けたオーダ特定情報に対応する画像プリントの引渡しが完了するまでは、後に受け付けたオーダ特定情報に対応する画像プリントの送出は停止される。これにより、画像プリントの引渡間違いを防止することができる。
【００７４】
なお、本実施形態では、オーダ特定情報記憶部５５Ｃおよびオーダ特定情報管理部５５Ｄを引渡受付装置Ｆに備えたが、引渡装置Ｅに備えても構わない。
【００７５】
〔第３実施形態〕
以下に、本発明による引渡装置の第３実施形態を説明する。上述の実施形態では、一のオーダ特定情報には一の処理袋Ｑが対応していたが、本実施形態では、一のオーダ特定情報に複数の処理袋Ｑが対応している。すなわち、引渡受付装置Ｆにおいて一のオーダ特定情報が取得されると、引渡装置Ｅから複数の処理袋Ｑが送出されることとなる。この場合に、上述の実施形態のように複数の引渡装置Ｅがあると、処理袋Ｑが異なる引渡装置Ｅから送出される可能性があり、引渡間違いが生じる可能性が高くなる。本実施形態では、このような場合の引渡間違いを回避するための処理を行っている。
【００７６】
本実施形態における引渡システムの機能部構成は、上述の実施形態と同様であるが、引渡完了の検知処理が異なっている。上述の実施形態では、一の引渡装置Ｅからの引渡完了通知により、画像プリントが顧客に引渡されたと判断していたが、本実施形態では、図１６のフローチャートに示す処理により引渡しの完了を判断している。すなわち、図１３の＃４７および図１５の＃５９の処理が図１６の処理に置き換えられる。
【００７７】
なお、本実施形態では、引渡受付制御ユニット５５は、オーダ特定情報と引渡装置特定情報とが関連付けられて、ハードディスク等の磁気記録装置やフラッシュメモリ等の不揮発性メモリに記録されている。顧客が、引渡受付装置のバーコードリーダ５３にオーダ特定情報を読み込ませると、オーダ特定情報をキーに引渡装置特定情報を検索し、検索された引渡装置特定情報に対応する引渡装置Ｅにオーダ特定情報を送信する。上述したように、一のオーダ特定情報に対して複数の引渡装置特定情報が関連付けられている場合には、複数の引渡装置Ｅにオーダ特定情報が送信されることとなる。
【００７８】
オーダ特定情報を取得した各引渡装置Ｅは、上述の＃４２〜＃４４の処理を行い、オーダ特定情報に対応する処理袋Ｑを送出し、上述のいずれかの方法により処理袋Ｑが顧客に引渡されたことを判定する。その後、引渡受付制御ユニット５５は、以下の処理を行う。
【００７９】
引渡受付制御ユニット５５は、一の引渡装置Ｅから引渡完了通知を受理すると（＃７１）、オーダ特定情報を送信した全ての引渡装置Ｅから引渡完了通知を受理したか否かを判定する（＃７２）。引渡完了通知を受理していない引渡装置Ｅが存在する場合には（＃７２のNo分岐）、引渡完了通知が送られてくるまで待機している。一方、オーダ特定情報を送信した引渡装置Ｅから引渡完了通知を受理した場合には（＃７２のYes分岐）、全ての引渡装置Ｅの引渡しが完了したと判断し（＃７３）、次の顧客に対する引渡処理を可能とする（＃４８または＃６０）。
【００８０】
なお、複数の引渡装置Ｅから処理袋Ｑが送出される場合には、引渡受付装置Ｆのディスプレイ５２に、送出される引渡装置Ｅが複数ある旨やその引渡装置Ｅの位置等を明示すると好適である。また、処理袋Ｑが送出された引渡装置Ｅのスピーカ４５からメッセージや警告音を発することで、顧客に対して処理袋Ｑが送出された引渡装置Ｅを知覚させることもできる。この場合には、処理袋Ｑが引渡された際にスピーカ４５からの音声等を停止させる。
【００８１】
さらに、一の引渡装置Ｅから処理袋Ｑが引渡された際に、処理袋Ｑが送出された引渡装置Ｅが他にもある場合には、処理袋Ｑを引渡した引渡装置Ｅのディスプレイ４３に、他の引渡装置Ｅにも処理袋Ｑがある旨のメッセージ等を表示することも望ましい。
【００８２】
複数の引渡装置Ｅから処理袋Ｑが送出される場合には、顧客に対して上述のような処理により注意を促すことにより、処理袋Ｑの取り忘れを防止することができる。
〔別実施形態〕
（１）上述の実施形態では、本発明の引渡システムは引渡受付装置Ｆと一の引渡口４４を備えた複数の引渡装置Ｅとから構成されていたが、これに限定するものではない。引渡受付端末Ｆの機能部を引渡装置Ｅに備え、引渡受付装置Ｆを不要とする構成、各引渡装置Ｅが複数の引渡口４４を備えた構成等、本発明の目的を達する限りにおいて、種々の構成変更が可能である。
【００８３】
（２）上述の実施形態では、引渡装置Ｅの引渡検知部４８Ａにより、画像プリントが封入された処理袋Ｑが引渡されたことを検知することにより、所定時間を決定する構成としたが、所定時間の決定方法はこれに限定されるものではなく、他の方法を用いても構わない。例えば、所定時間を固定時間として設定しておくことも可能である。この場合には、引渡検知部４８Ａを備える必要はないが、引渡装置Ｅまたは引渡受付装置Ｆにタイマを備え、処理袋Ｑを送出してから、またはオーダ特定情報を取得してからの経過時間をタイマにより計時し、経過時間が設定された固定時間に達した際に、オーダ特定情報の受付または次の画像プリントの送出処理を開始する構成となる。
【００８４】
（３）上述の実施形態に加え、引渡時にパスワードの入力を要求すると、さらに引渡間違いを防止することができる。この場合には、受付装置Ａにおいて画像プリントのオーダに関する情報を入力する際に、顧客はパスワードを設定し、設定されたパスワードは、オーダ特定情報と関連付けられて、引渡制御ユニット４８により管理される。引渡時には、顧客は、オーダ特定情報を読み込ませた後に、引渡受付装置Ｆのタッチパネル５１または、引渡装置Ｅに備えられたタッチパネルを介してパスワードを入力すると、オーダ特定情報に対応する画像プリントが送出される構成となる。
【００８５】
(４)上述の実施形態では、オーダに係る画像プリントを顧客に引渡したが、引渡す商品は画像プリントに限定するものではなく、補正後の画像データを記録したＣＤ−Ｒ等、他の商品としても構わない。
【図面の簡単な説明】
【００８６】
【図１】本発明の実施形態における受付引渡システムの全体構成を表す斜視図
【図２】本発明の実施形態における受付装置の斜視図
【図３】本発明の実施形態におけるインクジェットプリンタ、エンベロッパおよび引渡装置の横断面図
【図４】本発明の実施形態における引渡装置の構成の概要を表す斜視図
【図５】本発明の実施形態における受付証を表す図
【図６】本発明の実施形態における受付プリントシステムの機能要素を表す機能ブロック図
【図７】本発明の実施形態における受付、プリント処理の流れを表すフローチャート
【図８】本発明の第１実施形態における引渡システムの機能要素を表す機能ブロック図
【図９】本発明の実施形態における引渡装置の開口部に備えられた手検知センサを表す図
【図１０】本発明の実施形態における手検知センサを用いた引渡完了の検知処理の流れを表すフローチャート
【図１１】本発明の実施形態における引渡装置の開口部に備えられた画像プリント検知センサを表す図
【図１２】本発明の実施形態における画像プリント検知センサを用いた引渡完了の検知処理の流れを表すフローチャート
【図１３】本発明の第１実施形態における引渡処理の流れを表すフローチャート
【図１４】本発明の第２実施形態における引渡システムの機能要素を表す機能ブロック図
【図１５】本発明の第２実施形態における引渡処理の流れを表すフローチャート
【図１６】本発明の第３実施形態における引渡完了判定の処理の流れを表すフローチャート
【符号の説明】
【００８７】
Ｅ、Ｅ１、Ｅ２、Ｅ３：引渡装置
４８：引渡制御ユニット
４８Ａ：引渡検知部
６１：手検知センサ（手検知手段）
６２：画像プリント検知センサ（画像プリント検知手段）
６３Ａ：赤外線発光部
６３Ｂ：赤外線受光部
４４：引渡口
４６：収容ユニット（収容部）
４７：送出プレート（送出部）
Ｆ：引渡受付装置
５５：引渡受付制御ユニット
５５Ａ：引渡受付管理部
５５Ｂ：オーダ特定情報取得部
５５Ｃ：オーダ特定情報記憶部
５５Ｄ：オーダ特定情報管理部
【図１】
2010117428.tif 000003
【図２】
2010117428.tif 000004
【図３】
2010117428.tif 000005
【図４】
2010117428.tif 000006
【図５】
2010117428.tif 000007
【図６】
2010117428.tif 000008
【図７】
2010117428.tif 000009
【図８】
2010117428.tif 000010
【図９】
2010117428.tif 000011
【図１０】
2010117428.tif 000012
【図１１】
2010117428.tif 000013
【図１２】
2010117428.tif 000014
【図１３】
2010117428.tif 000015
【図１４】
2010117428.tif 000016
【図１５】
2010117428.tif 000017
【図１６】
2010117428.tif 000018